(57)【要約】【課題】デジタルドアの保安性及び便利性を強化でき、火事等の非常時に安全性を強化でき、ドアの審美性及び機能性を向上すること。【解決手段】ドアに電源を供給する電源部と、使用者から機械的、電磁気的で所定の入力を受けてこれをデータで変換して送信する入力部と、複数個の閉ざし部で構成された多重の閉ざし方式でドアの閉ざし及び開き機能を遂行する多重ロック部と、前記ドアとネットワーク網の間を接続する通信部と、データがソフトウェア化されて実行可能な形態に保存されていて、火事及び防犯に係わるメッセージ、前記入力部から入力受けた映像及び音声のデータを保存するメモリー部と、前記メッセージによる警報音を生成するオーディオ部と、以上の各部と繋がれていてデジタルドアを制御する制御部を含む。【選択図】図３
2009535544.tif 000002
【特許請求の範囲】
【請求項１】
デジタルドアにおいて、
前記ドアに電源を供給する電源部と、
使用者から機械的、電磁気的で所定の入力を受けてこれをデータで変換して送信する入力部と、
複数個の閉ざし部で構成された多重の閉ざし方式でドアの閉ざし及び開き機能を遂行する多重ロック部と、
前記ドアとネットワーク網の間の接続機能を遂行する通信部と、
制御に係わるデータがソフトウェア化されて実行可能な形態に保存されていて、火事及び防犯に係わるメッセージ、前記入力部から入力を受けた映像及び音声のデータを保存するメモリー部と、
前記メッセージによる警報音を生成するオーディオ部と、
前記電源部、入力部、デジタル多重ロック部、通信部、メモリー部、及びオーディオ部と繋がれて前記デジタルドアを制御する制御部を含むことを特徴とする、
デジタルドア。
【請求項２】
前記入力部は訪問者と相互映像及び音声の対話機能を遂行して映像及び音声のデータを入力受けるインターホンと、訪問者監視及び相互映像通話のためのカメラ部を含むことを特徴とする、請求項１に記載のデジタルドア。
【請求項３】
火事や煙気が発生した場合にこれを感知して所定のデータで変換して送信する除煙及び火事感知部と、外部侵入によって発生することができる前記デジタル多重ロック部及び入力部の異常可否を感知する異常感知部をさらに具備することを特徴とする、請求項１に記載のデジタルドア。
【請求項４】
前記通信部は通信モジュールが内蔵して無線ネットワーク網に接続されるとか、ホーム端末装置と電気的に繋がれてインターネットと連動されるホームネットワークと接続されて、モバイル端末と前記デジタルドアの間に通信を遂行することを特徴とする、請求項１に記載のデジタルドア。
【請求項５】
前記制御部は前記通信部を通じて外部の使用者端末と通信して、通報機能及びドアの開閉を遂行することを特徴とする、請求項４に記載のデジタルドア。
【請求項６】
火事発生の時に火器及び煙気の転移を阻むため、開いていたドアが自動で閉まるようにする機能を遂行するドアクローズ部をさらに含むことを特徴とする、請求項１に記載のデジタルドア。
【請求項７】
前記デジタルドアが設置された空間の内部空気を換気させてくれる陰イオン換気部をさらに含むことを特徴とする、請求項１に記載のデジタルドア。
【請求項８】
前記制御部は前記多重ロック部の開閉動作があらかじめ設定された手順によって順次に動作するドミノ方式に従って多段階で成り立つように構成することを特徴とする、請求項１に記載のデジタルドア。
【請求項９】
前記電源部、入力部、多重ロック部、通信部、メモリー部、オーディオ部、制御部、除煙及び火事感知部、異常感知部、ドアクローズ部、陰イオン換気部が前記ドアの一側面に形成されて、
前記電源部、入力部、多重ロック部、通信部、メモリー部、オーディオ部、制御部、除煙及び火事感知部、異常感知部、ドアクローズ部、陰イオン換気部をカバーして保護するケーシングフレームを具備して、前記ドアの構成部が具備される本体とケーシングフレームにモジュール化することを特徴とする、請求項１乃至８の何れか１項に記載のデジタルドア。
【請求項１０】
デジタルドアにおいて、
複数個の閉ざし部で構成された多重の閉ざし方式でドアの閉ざし及び開き機能を遂行する多重ロック部と、前記多重ロック部を制御する制御部を含みと、
前記複数個の閉ざし部の各カバーにキーを設置して、前記キーを回転させるによって前記ドアを開閉することを特徴とする、
デジタルドア。
【請求項１１】
前記キーとかみ合っている第１ギアと、前記閉ざし部を駆動させるモーターの一側に形成された第２ギアを含みと、前記キーの回転の時に前記第１ギアがこれと連動する第２ギアとかみ合って前記モーターと繋がれた閉ざし部を移動させてドアを開閉することを特徴とする、請求項１０に記載のデジタルドア。
【請求項１２】
前記第１ギアの一側に突部を形成して前記突部が閉ざし部のみぞとかみ合って、前記第２ギアの回転によって前記第１ギアが連動して回転しながら前記デッドボールを移動させてドアを開閉することを特徴とする、請求項１１に記載のデジタルドア。
【請求項１３】
前記制御部は前記多重ロック部の開閉動作があらかじめ設定された手順によって順次に動作するドミノ方式に従って多段階で成り立つように構成することを特徴とする、請求項１０記載のデジタルドア。
【請求項１４】
デジタルドアにおいて、
前記ドアの一側に形成されて前記ドアの室内空気を外部で排気させて前記外部の空気を内部で流入させる換気ファンと、
センサーを通じてリアルタイムで前記室内空気の清浄可否を把握して前記換気ファンの駆動タイミングを制御する換気ファン制御部を含むことを特徴とする、
デジタルドア。
【請求項１５】
香気または／及び陰イオンを発生させて前記室内空気を清浄にさせることを特徴とする、請求項１４に記載のデジタルドア。
【請求項１６】
デジタルドアにおいて、
前記ドアの一側に形成されて火事や煙気が発生した場合にこれを感知して所定のデータで変換して送信する除煙及び火事感知部と、
前記除煙及び火事感知部と電磁気的で結合して前記ドアが移動する所定位置に設置されて前記ドアを固定させるドアクローズ部とを含み、
使用者の用途によって普段には前記除煙及び火事感知部が前記ドアクローズ部の引力によって前記ドアが前記ドアクローズ部に吸着されて前記所定位置に固定されて、前記除煙及び火事発生の時には前記除煙及び熱感知の電磁石に電源が供給されて前記除煙及び火事感知部と前記ドアクローズ部の相互間の斥力によって吸着された前記ドアクローズ部が前記所定位置を離脱して前記ドアが自動で閉まるようになることを特徴とする、
デジタルドア。
【請求項１７】
前記ドアクローズ部は、前記除煙及び火事感知部と電磁気的で結合するネオデ−ニュム磁石部と、前記磁石部を支持して前記所定位置に固定させるホルダーを含むことを特徴とする、請求項１６に記載のデジタルドア。
【請求項１８】
前記ネオデ−ニュム磁石部は、前記ドアとの結合の時に衝撃を緩和するためにクッションを持つ前面のゴムバッキングと、前記除煙及び火事感知部との電磁気的結合をするネオデ−ニュム磁石と、前記ネオデ−ニュム磁石を支持して前記ドアとの衝突の時に衝撃を緩和するスプリングを含むことを特徴とする、請求項１７に記載のデジタルドア。
【請求項１９】
ドア本体と、
前記ドア本体の一側面に前記ドアの多機能を具現する構成部が形成されて、
前記構成部が形成されたドア本体の一側面をカバーするケーシングフレームを含んで、  前記構成部をモジュール化することを特徴とする、
デジタルドア。
【請求項２０】
ドア本体と、
前記ドアの多機能を具現する構成部が形成されたケーシングフレームとを含み、
前記ケーシングフレームが前記ドア本体の一側面に結合されて前記構成部をモジュール化することを特徴とする、
デジタルドア。
【請求項２１】
前記ケーシングフレームの材質はアルミニウム、鉄板（スチール）、ステンレス綱、木材中のどれ一つが使われることを特徴とする、請求項１９または２０に記載のデジタルドア。
【発明の詳細な説明】
【技術分野】
【０００１】
本発明は多機能デジタルドア（Multi Digital Door）に関し、より詳細にはネットワーク環境を利用して保安性及び便利性を強化でき、火事などの非常時に安全性を強化でき、ドアの審美性及び機能性を強化できるデジタルドアに関するものである。
【背景技術】
【０００２】
現在、家庭と事務室などで鍵が必要のない便利さは勿論のこと、鍵の紛失による危険がない利点によってデ−ジタルキー（key）や、番号入力キーなどを持ったデジタルドアロック（Lock）が人気を集めている。
【０００３】
また、デジタル技術の発達とともに前記デジタルドアの保安性はより強化されているが、これと並行して強化されたデジタルドアを解除するための各種先端技法が発達することにより、完璧な保安システムを持つには限界がある。
また、前記デジタルドアに電気的衝撃を加えた場合、電気的衝撃によってデジタルドアロック回路に異常をきたして容易に開錠できる現象が発生したり、ドア部分に一つの閉ざし装置だけを設置してある場合には、工具を利用して容易にドアを開けることができる等、デジタルドアロックを設置している多数の家庭及び会社が犯罪の危険に晒されている。
【０００４】
このように、便利性と安全性を武器とするアナログ鍵の市場を早い速度で浸透して来たデジタル閉ざし装置は、完璧な保安に限界がある。
そのため、従来のデジタル閉ざし装置外に別途の補助閉ざし装置を追加設置して対処する方法がとられているが、複数の装置の使用方法が異なるために、火事やその他の緊急時において、事故や危険に対する対応能力が不足するといった問題点がある。
【０００５】
また、無断侵入者の現場状況を把握できず事故予防の危険に晒されているため、最近のインターネット、無線通信、テレメティックス（telematics）等の情報通信技術をデジタル閉ざし装置に応用することが試みられている。
【発明の開示】
【発明が解決しようとする課題】
【０００６】
したがって、本発明は前記した問題点及び要求に鑑みて成されたもので、ネットワーク環境を利用して保安性及び便利性を強化でき、火事等の非常時に安全性を強化でき、ドアの審美性及び機能性を強化できる、多機能デジタルドアを提供することを目的とする。
【課題を解決するための手段】
【０００７】
前述した目的を果たすための本発明の一側面によれば、デジタルドアにおいて、前記ドアに電源を供給する電源部と、使用者から機械的、電磁気的で所定の入力を受けてこれをデータで変換して送信する入力部と、複数個の閉ざし部で構成された多重の閉ざし方式でドアの閉ざし及び開き機能を遂行する多重ロック部と、前記ドアとネットワーク網の間の接続機能を遂行する通信部と、制御に係わるデータがソフトウェア化されて実行可能な形態に保存されていて、火事及び防犯に係わるメッセージ、前記入力部から入力受けた映像及び音声のデータを保存するメモリー部と、前記メッセージによる警報音を生成するオーディオ部と、前記電源部、入力部、デジタル多重ロック部、通信部、メモリー部、及びオーディオ部と繋がれて前記デジタルドアを制御する制御部を含むデジタルドアを提供する。
【０００８】
また、前記入力部は訪問者と相互映像及び音声の対話機能を遂行して映像及び音声のデータを入力受けるインターホンと、訪問者監視及び相互映像通話のためのカメラ部を含むことを特徴とする。
【０００９】
また、火事や煙気が発生した場合に、これを感知して所定のデータで変換して送信する除煙及び火事感知部と、外部侵入によって発生することができる前記デジタル多重ロック部及び入力部の異常可否を感知する異常感知部をさらに具備することを特徴とする。
【００１０】
また、前記通信部は通信モジュールが内蔵して無線ネットワーク網に接続されるとか、ホーム端末装置と電気的に繋がれてインターネットと連動されるホームネットワークと接続されて、モバイル端末と前記デジタルドアの間に通信を遂行することを特徴とする。
【００１１】
また、前記制御部は前記通信部を通じて外部使用者の端末と通信して、通報機能及びドの開閉を遂行することを特徴とする。
【００１２】
また、火事等の発生時に火器及び煙気の転移を阻むため、開いていたドアが自動で閉まるようにする機能を遂行するドアクローズ部をさらに含むことを特徴とする。
【００１３】
また、前記デジタルドアが設置された空間の内部空気を換気させてくれる陰イオン換気部をさらに含むことを特徴とする。
【００１４】
また、前記制御部は前記多重ロック部の開閉動作があらかじめ設定された手順によって順次に動作するドミノ方式に従って多段階で成り立つように構成することを特徴とする。
また、前記電源部、入力部、多重ロック部、通信部、メモリー部、オーディオ部、制御部、除煙及び火事感知部、異常感知部、ドアクローズ部、陰イオン換気部が前記ドアの一側面に形成されて、前記電源部、入力部、多重ロック部、通信部、メモリー部、オーディオ部、制御部、除煙及び火事感知部、異常感知部、ドアクローズ部、陰イオン換気部をカバーして保護するケーシングフレームを具備して、前記ドアの構成部が具備される本体とケーシングフレームにモジュール化することを特徴とする。
【発明の効果】
【００１５】
本発明に係るデジタルドアは、多重ロック部を形成して前記多重ロック部があらかじめ設定された手順によって順次に動作するドミノ方式で多段階の閉ざし及び開き動作を遂行して保安性を強化することができるだけでなく使用者の便宜もはかることができる。
すなわち、既存のドアの場合にロック（Lock）部分が１個が基本の場合が多くて、これによる心理的不安要因で補助ロック装置を別に構成する場合が多い点を反映して、多重ロック（２個以上の閉ざし部）の設置で保安性を強化して、多重ロックの開き及び閉ざしもドミノ方式に従って使用者の便宜を図ることができる。
【００１６】
また、多重ロックの各閉ざし部ごとに手動キーを設置して停電やバッテリー充電の不足などのシステム異常時に非常用備えで活用することができる。
【００１７】
また、前記ドアに陰イオン換気部を形成して室内空気の円滑な流れを誘導して既存アパートの密閉された玄関で発生するさまざまなにおいをとり除いて不快な環境を改善することができるようにする。
【００１８】
また、ドアにケーシングフレームを附着して、ドアの各構成部品の毀損を防止することだけではなく、外的でもドアのデザイン的審美感を増加させてドアの實用美と裝飾美をより一層向上させることができる。
【００１９】
また、ドアに通信部、除煙及び火事感知部などを具備して、通話の通報機能、携帯電話の送受信機能、事務室、会社、勤怠管理機能、ガス漏出、火事感知、人体感知センサー及び送信機能、点燈／消燈及び家電製品オン／オフ（ｏｎ／ｏｆｆ）機能などを遂行することができる。
【発明を実施するための最良の形態】
【００２０】
以下に添付図面を参照しながら、本発明の望ましい実施例に係るデジタルドアと、デジタルドアを利用した保安システム及びその方法について詳しく説明する。
[実施例]
【００２１】
保安システムの構成
本発明による多機能デジタルドア（１００）は、無線ネットワーク網に接続されるか、或いはホーム（home）端末装置と電気的に繋がれてインターネットと連動される有線ネットワーク網と接続されて、保安システムを構成する。
【００２２】
図１及び図２は本発明の望ましい実施例による保安システムの構成を図示したものである。
本発明による多段階の保安システムは、多機能デジタルドア（１００）、ホームネットワーキング（home networking）装置（３５０）、ホーム端末装置（３００）を含む単独システムと、前記単独システムと通信局（３３０）及びネットワーク（３７０）を通じて結合されたサーバー装置（４００）を含む。
【００２３】
また、前記単独システムは通信局（３３０）及びネットワーク（３７０）を通じてＰＤＡ（５１０）及び携帯電話（５２０）などを含むモバイル（mobile）端末（５００）と通信を遂行することができる。
【００２４】
本発明による保安システムは共同システム及び単独システムで構築可能である。共同システムの場合、複数の単独システムとサーバー装置（４００）を含むことができる。
【００２５】
デジタルドア（１００）は複数個の閉ざし部を含む多重ロック部（１３０）で構成される。前記閉ざし部の開閉動作（開きまたは閉ざし動作）はあらかじめ設定された手順によって順次に動作するドミノ（domino）方式で成り立つ。
【００２６】
そして、ホームネットワーキング装置（３５０）は、ホーム端末装置（３００）に含まれたホームオートメーション（home automation）部と結合された装置として、家庭内に具備される電子製品、ボイラーなどの装置を指称する。
【００２７】
ホーム端末装置（３００）はデジタルドア（１００）と繋がれて前記デジタルドア（１００）を制御する家庭内のホームサーバーであり、前記デジタルドアだけでなく家庭内の電燈、電子製品、ボイラーなどを含むホームネットワーキング装置（３５０）と結合してホームネットワーキング機能を遂行することができる。
【００２８】
そして、ホーム端末装置（３００）は図面に含まれない次のような構成を含むことができる。
すなわち、ホーム端末装置（３００）は通話部、開閉制御部、インターホン（interphone）、ビデオホン（videophone）部、音声通信部、映像キャプチャー（capture）設定部、音声信号録音部等をさらに含む。
【００２９】
また、ホーム端末装置（３００）は入力部を通じて前記構成要素たちをローカル（local）制御することだけではなく、通信局（３３０）を通じて遠隔に位したサーバー装置（４００）及びモバイル端末（５００）によって遠隔制御されることができるように構成されている。
そして、ホーム端末装置（３００）はサーバー装置（４００）及びモバイル端末（５００）と各種状態情報及び保安情報を送受信することができる。
【００３０】
通信局（３３０）は無線通信に対応される基地局及び有線通信に対応される局選局などを含む中継装置を指称する。
ここでの通信はＣＤＭＡ、ＧＳＭなどの移動通信、ＲＦＩＤ、ＮＦＣなどの近距離通信、及びＰＳＴＮ（Public Switched Telephone Network）のような有線電話通信を含む。
そしてネットワーク（３７０）は既存の有線または無線ネットワークだけではなく、今後の開発されるネットワークを含む。
【００３１】
サーバー装置（４００）は複合建物または集合建物に対応されるアパート、ビルなどの警備室に具備されるとか、私設警備用役業社、警察署、交番、消防署などに具備されることができる。
前記サーバー装置（４００）は各閉ざし装置の位置をあらかじめ設定された識別情報を利用して識別するとか、ＧＰＳ信号を利用して認識するように構成されることができる。
【００３２】
モバイル端末（５００）は携帯電話、ＰＤＡなどの個人携帯端末を含む。
【００３３】
一方、本発明の他の実施例による多段階保安システムは、図１ｂに図示するように、多機能デジタルドア（１００）、通信局（３３０）、ネットワーク（３７０）、ＰＤＡ（５１０）及び携帯電話（５２０）などを含むモバイル端末（５００）で構成することができる。
すなわち、別途のホーム端末装置（３００）、ホームネットワーキング装置（３５０）を具備することなしに、前記デジタルドア（１００）にＣＤＭＡモジュール（module）などの通信モジュールが内蔵されていて、前記通信局（３３０）、ネットワーク（３７０）と直接接続されて、ＰＤＡ（５１０）及び携帯電話（５２０）などを含むモバイル端末（５００）と前記デジタルドア（１００）の間に通信を遂行することができる。
【００３４】
また、サーバー装置（４００）の別途構成なしにデジタルドア（１００）に通報機能を具備して、外部無断侵入または家族、職員または警備室とグループで通信を遂行することができるようにする。
【００３５】
また、本発明による多機能デジタルドア（１００）の閉ざすことを解除するキー装置（未図示）は通信を利用したデジタルキーを使うように構成することができる。
すなわち、前記デジタルキーはモバイル端末（５００）がデジタルドア（１００）と接続して、前記ドアの開閉を遂行するのみならず、ＲＦＩＤ、ＮＦＣのような近距離通信方式を利用してスマートチップ（smart chip）で前記ドアの開閉を遂行することができる。
【００３６】
デジタルドアの基本構成
図３は本発明の望ましい実施例による多機能デジタルドア（１００）の構成を図示したものである。
図３に示すように、本発明による多機能デジタルドア（１００）は、前記ドアに電源を供給する電源部（１１０）と、使用者から機械的、電磁気的で所定の入力を受けてこれをデータで変換して送信する入力部（１２０）と、前記入力部（１２０）を通じる使用者の入力信号によってドアの閉ざし及び開き機能を遂行するデジタル多重ロック部（１３０）と、前記デジタルドアとネットワーク網の間の接続機能を遂行する通信部（１４０）を具備する。
【００３７】
入力部（１２０）は訪問者と相互映像及び音声の対話機能を遂行して映像及び音声のデータを入力受けるインターホンが具備されることができる。
【００３８】
また、訪問者監視及び相互映像通話のためにカメラ部（１２１）が具備されることができる。
【００３９】
デジタル多重ロック部（１３０）は多重または／及び多段階保安システムで、基本的にはドア内に補助の閉ざし装置のような複数の閉ざし装置が基本的に内蔵して、複数個の閉ざし部で構成された多重の閉ざし方式で保安を強化することができる。
【００４０】
通信部（１４０）はＣＤＭＡモジュール、ＧＳＭモジュールなどの通信モジュールが内蔵して無線ネットワーク網に接続されるとか、ホーム端末装置と電気的に繋がれてインターネットと連動されるホームネットワークと接続されて、モバイル端末（未図示）と前記デジタルドア（１００）の間に通信を遂行することができる。
この時、モバイル端末は携帯電話、ＰＤＡなどの個人携帯端末が含まれる。
【００４１】
上記した以外に制御に係わるデータがソフトウェア化されて実行可能な形態に保存されていて、火事及び防犯に係わるメッセージ、前記入力部から入力受けた映像及び音声のデータを保存するメモリー部（１５０）を具備する。
【００４２】
また、火事や煙気が発生した場合にこれを感知して所定のデータで変換して送信する除煙及び火事感知部（１６０）と、外部侵入によって発生することができる前記デジタル多重ロック部（１３０）及び入力部（１２０）の異常可否を感知する異常感知部（１６７）を含む。
【００４３】
前記除煙、火事、及び異常可否を感知するのはセンサーを通じて行われる。前記センサーは動作感知センサー、衝撃感知センサー、熱感知センサー、火事感知センサー、ガス感知センサーなどを含む。
【００４４】
また、火事発生の時に火器及び煙気の転移を阻むため、開いていたドアが自動で閉まるようにする機能を遂行する吸着ドアクローズ（close）部（１６５）と、前記デジタルドアが設置された玄関などの内部空気を換気させてくれる陰イオン換気部（１７０）と、前記火事及び防犯に係わるメッセージを表示するディスプレー（display）部（未図示）と、火事発生または外部侵入の時に警報音を生成するスピーカー部（１７２）をさらに具備する。
【００４５】
また、前記電源部（１１０）、入力部（１２０）、デジタル多重ロック部（１３０）、通信部（１４０）、メモリー部（１５０）、除煙及び火事感知部（１６０）、吸着ドアクローズ部（１６５）、異常感知部（１６７）、陰イオン換気部（１７０）、スピーカー部（１７２）と繋がれて、これらを制御する制御部（１８０）を具備する。
【００４６】
前記制御部（１８０）は通信部（１４０）を通じて外部無断侵入の時または家族、職員または警備室と使用者のモバイル端末の間にグループに通信して、通報機能を遂行することができる。
【００４７】
また、制御部（１８０）は前記多重ロック部（１３０）の開閉動作（開きまたは閉ざし動作）があらかじめ設定された手順によって順次に動作するドミノ方式に従って多段階で成り立つように構成することができる。
【００４８】
このような構成を通じて、本発明による多機能デジタルドアは通話通報機能、携帯電話送受信機能、事務室、会社、勤怠管理機能、ガス漏出、火事感知、人体感知センサー及び送信機能、点燈／消燈及び家電製品オン／オフ機能などを遂行することができる。
【００４９】
図４は本発明の望ましい実施例によるデジタルドア（１００）でデジタル多重ロック部（１３０）を利用した多段階保安装置を説明した図面だ。
【００５０】
本発明によるデジタルドア（１００）は、複数個の閉ざし部を含む多重閉ざの方式でして、あらかじめ設定された手順によって順次に動作する多段階閉ざし動作を遂行する。
【００５１】
図４を参照すれば、デジタル多重ロック部（１３０）は複数個の閉ざし部（１３１、１３２、１３３）と、前記閉ざし部を制御するための制御部（１８０）を含む。
【００５２】
前記制御部（１８０）は通信部（１４０）を通じてホーム端末装置（３００）と電気的に繋がれるとか有無線ネットワーク網と繋がれることができる。
【００５３】
本発明によるデジタルドア（１００）は前述したように多重閉ざし動作をするように構成されていて、あらかじめ設定された手順によってドミノ方式で動作するように構成される。
【００５４】
また、本発明による閉ざし装置を解除するキー装置（未図示）は通信を利用したデジタルキーを使うように構成されることができる。
すなわち、前記デジタルキーはモバイル端末機のような無線電話機を通じて前記デジタルドア（１００）の通信部と接続して制御部（１８０）の制御下に前記多重ロック部（１３０）の開閉を遂行するのみならず、ＲＦＩＤ、ＮＦＣのような近距離通信方式を利用してスマートチップで開閉を遂行することができる。
また、入力装置を通じてパスワード（password）入力で開閉動作を遂行することだけではなくキーを利用して手動で門を開閉することもできる。
【００５５】
多段階動作方法
本発明によるデジタルドア（１００）は複数個の閉ざし部を含む多重閉ざし部を含み、前記多重閉ざし部は制御部を通じてあらかじめ設定された手順によってドミノ方式で開き動作が成り立つように構成される。
そして閉ざし動作も開き動作と一緒に多段階で構成されることができるし、一時に閉ざし動作が成り立つことができる。
【００５６】
本発明による時、複数個の閉ざし部にあたるキー情報を順次に送ることもできて、同時に送った後、構成されることもできる。
第１実施例による時、
（ａ）キーから多段階認証要請を受信する段階、
（ｂ）前記キーに暗号キーを要請する段階、
（ｃ）前記キーから暗号キーを受信する段階、
（ｄ）前記暗号キーを認証して、前記暗号キーに対応する閉ざし部を解除する段階及び（ｅ）前記（ｃ）段階及び前記（ｄ）段階を前記閉ざし部の個数に対応して、あらかじめ設定された複数の回数を遂行する段階を含む。
【００５７】
そして、第２実施例による時、
（ａ）キーから多段階認証要請を受信する段階、
（ｂ）前記キーに暗号キーを要請する段階、
（ｃ）前記キーから前記閉ざし部の個数に対応して複数個の暗号キーを受信する段階、及び
（ｄ）前記暗号キーに対する認証及び前記暗号キーに対応する閉ざし部に対する解除動作を暗号キーの個数に対応して複数の回数を遂行する段階を含む。
【００５８】
以下、スマートチップを利用して閉ざし動作を遂行する場合を基準に説明する。
その外、デジタルドアは手動で閉ざし及び解除が可能であり、あらかじめ設定された遠隔電話通信または近距離／接触式通信によって開閉することができ、またキー入力部を通じて入力するように構成できることは勿論である。
【００５９】
図５は本発明の望ましい第１実施例による多段階の開き動作を説明したものである。
図５を参照すれば、キー装置からデジタルドアで多段階の認証要請をすれば（Ｓ４００）デジタルドアはこれを認識して、キー装置で暗号キーの要請をする（Ｓ４０５）。
【００６０】
望ましい第１実施例による時、キー装置は第１暗号キーを抽出して（Ｓ４１０）、抽出した第１暗号キーをデジタルドアで送れば（Ｓ４１５）、デジタルドアは前記第１暗号キーを認証した後、第１閉ざし部を解除する（Ｓ４２０）。
そしてキー装置で第２暗号キーを要請する（Ｓ４２５）。
【００６１】
キー装置は第２暗号キーを抽出して（Ｓ４３０）、抽出した第２暗号キーをデジタルドアで送れば（Ｓ４３５）、デジタルドアは前記第２暗号キーを認証した後、第２閉ざし部を解除する（Ｓ４４０）。
そしてキー装置で第３暗号キーを要請する（Ｓ４４５）。
このような過程を複数個の閉ざし部に対応して遂行した後、開き動作を遂行する。
【００６２】
図６は本発明の望ましい第２実施例による多段階開き動作を説明したものである。
ここで、複数個の閉ざし部に対応する前記暗号キーは一連のデータ構造を持っていっぺんに送信される。デジタルドアは各閉ざし部にあたる暗号キーを抽出して認証及び解除を遂行するように構成される。
ここで、前記複数個の暗号キーはあらかじめ設定された手順によって抽出及び認証が成り立つドミノ方式で構成されることができる。
この時、前記ドミノ方式は前記第１暗号キーが正常に開き認証を受けた時（すなわち、第１暗号化キーの抽出が成り立った時）（Ｓ５２０）、ドミノゲームのような方式で第２、第３暗号キーが順に同時に解除が可能だ（Ｓ５２５）（Ｓ５３０）（Ｓ５３５）。
【００６３】
一方、第１暗号キーが物理的／強制的または非正常的に動作すれば、制御部でシステム使用者の保存されたモバイル端末でＳＭＳ（短文文字サービス）形態で誰かの侵入があるというメッセージを通信送信とともに、制御部がキー装置の動作を自動停止させるとか使用者の停止命令で第２、第３暗号キーが解除されなくて閉ざし状態がずっと維持される。
【００６４】
また、前記解除方法は正常な手動キー及び合理的に認証されたさまざまな方法だけで閉ざし装置の停止または解除が可能である。
【００６５】
その以外の動作は第１実施例と同一、または似たものであるので省略する。
【００６６】
デジタルドアの詳細構成
以下に本発明による多機能デジタルドアの構成に対してさらに詳しく説明する。
図７乃至図９は本発明による多機能デジタルドア（２００）の外部構成を現わした図面で、それぞれ正面図、背面図、取っ手の部分を現わした詳細図を示す。
【００６７】
図７及び図８に図示したように、本発明による多機能デジタルドア（２００）の一側には使用者がドアの開閉のための信号を入力することができる入力部（２２０）が設置される。
【００６８】
ここで、前記入力部（２２０）はマイク（２２１）、カメラ（２２２）、スマートカード受信アンテナ（２２３）、呼び鈴（２２４）、通話連結ボタン（リセット）（２２５）、  スピーカー（２２６）などが一体に具現されている。
この時、前記カメラ（２２２）、マイク（２２１）、スピーカー（２２６）を通じて訪問者監視及び相互映像／音声の対話機能を遂行することができるし、通話連結ボタン（２２５）を通じて設定された電話番号（家主の電話番号または火事／災難の時の１１９など）に通話することができる。
これは前記ドアの通信部（未図示）に内蔵したＣＤＭＡモジュールを通じて家主と通話してドアの閉ざすことを解除するとか、非常状態での緊急電話が可能になる。
【００６９】
また、前記スマートカード受信アンテナ（２２３）を通じて接触式または非接触式カード形態で具現するとか、番号入力を通じるキーパッド（keypad）形態で前記閉ざすことを解除するデジタルキーを具現することができる。
【００７０】
図９に図示したように、本発明によるデジタルドア（２００）の取っ手（２４０）は外部と違い内部にセンサーが繋がれてワンタッチ（one touch）、または取っ手さえ取れば自動で開かれる機能を実現する。
特に、多重ロックの場合にもワンタッチ、または内部取っ手だけ取っても自動で開かれるようになって火事や非常時の待避に有利に構成される。
【００７１】
図１０及び図１１は本発明によるデジタルドア（２００）の多重ロック部（２３０）の構成を現わしたものである。
【００７２】
図１０及び図１１に図示したように、本発明によるデジタルドア（２００）の多重ロック部（２３０）は、ドアが結合される壁の側面に複数個の閉ざし穴（ｈｏｌｅ）（２３１）が形成されて前記閉ざし穴（２３１）に結合される複数個の閉ざし部（２３２）が具備されて、前記複数個の閉ざし部（２３２）を利用した多重の閉ざし方式で前記デジタルドア（２００）の開閉が成り立つ。
【００７３】
前記複数個の閉ざし部（２３２）の開閉動作（開きまたは閉ざし動作）は、図４及び図５に図示したように、予め設定された手順によって順次に動作するドミノ方式に従って多段階で成り立つように構成される。
【００７４】
また、前記閉ざし穴（２３１）の内部面はシリコーン（silicone）ゴムバッキング（packing）（２３１ｂ）で取り囲まれて、前記閉ざし部（２３２）のオープン（open）時にカーテンのように前記閉ざし穴（２３１）をカバーする。
【００７５】
図１２乃至図１５は本発明によるデジタルドア（２００）の多重ロック部（２３０）の開閉装置の構成を現わしたものである。
多重ロック部（２３０）の開閉は電子モーターギア式デッドボールタイプ（deadball type）に具現されることができる。
すなわち、モーター（２３３）を通じてドアの開閉を行うのに、ドアが閉まる時には前記モーター（２３３）がデッドボール（２３５）を閉ざし穴（未図示）の方で前進させて、ドアが開かれる時には前記モーター（２３３）がデッドボール（２３５）を閉ざし穴（未図示）で後進させる方式である。
【００７６】
ここで、普段にはモーター（２３３）が制御部の命令に従って前記デッドボール（２３５）を閉ざし穴（未図示）方向に前進／後進させながらドアの開閉を行うが、非常時または必要によっては前記多重ロック部（２３０）の複数個の閉ざし部ごとに複数個のキー包み（２３７）を設置して手動でも前記ドアを開閉することができる。
すなわち、手動開閉の時には多重ロック部（２３０）のカバー（２３８）に形成された鍵穴（２３８ａ）に付いて前記キー（２３７）の回転させるによって前記ドアを開閉することができる。
また、ドアを開こうとする時には前記キー（２３７）を反時計方向で回転させれば前記キー（２３７）とかみ合っている第１ギア（２３９ａ）がこれと連動するモーター（２３３）側の第２ギア（２３９ｂ）とかみ合って前記モーターと繋がれた掛け金（２３５）を閉ざし穴（未図示）の方で前進させる。
【００７７】
一方に、ドアを閉めようとする時には前記キー（２３７）を時計方向で回転させれば前記キー（２３７）とかみ合っている第１ギア（２３９ａ）がこれと連動するモーター（２３３）側の第２ギア（２３９ｂ）とかみ合って前記モーターと繋がれた掛け金（２３５）を閉ざし穴（未図示）の方で後進させる。
【００７８】
前記ドアの開閉のためのキーの回転方向は、例えばドアを閉めるために時計方向で回転するのか反時計方向で回転するのか可否は無関係であり、前記第１ギア（２３９ａ）及び第２ギア（２３９ｂ）の結合はラックピニオン（rack and pinion）方式でも適用することができる。
【００７９】
また、前記モーター（２３３）の一側に第２ギア（２３９ｂ）を形成して、前記第１ギア（２３９ａ）の一側に突部（２３９ｃ）を形成して前記突部（２３９ｃ）がデッドボールのみぞ（２３５ａ）とかみ合って、前記第２ギア（２３９ｂ）の回転によって前記第１ギア（２３９ａ）が連動して回転しながら前記デッドボールを前進／後進させてドアを開閉することができる。
【００８０】
このように、前記デジタルドア（２００）は入力装置を通じてパスワード入力／スマートカードなどで開閉動作を遂行することだけではなくキー（２３７）を利用して手動で門を開閉することもできる。
この時、キー（２３７）を利用して手動で門の開閉の時、鍵穴（２３８ａ）はその外部がゴムバッキングのセンサー装置形式で外部に露出しないとか間接的に露出するようにして、閉ざし部の位置を他人がわからないようにする。
【００８１】
また、侵入者がドアを開くことができないように手動キーの形態とキー方式はそれぞれ他の色々形態で多重ロック部に設置することができる。
【００８２】
また、停電やバッテリー充電不足などのシステムの異常時に非常用の備えで活用するようにする。
【００８３】
また、ドアの使用者が変わった場合に手動キー包みだけ簡単に入れ替れば前使用者の鍵複製に対する不安要因をとり除いて次の使用者が安心して使うことができるようにする。
【００８４】
図１６及び図１７は本発明によるデジタルドア（２００）に陰イオン換気部（２６０）を形成した例を現わした正面図と背面図である。
図１６及び図１７に図示したように、前記陰イオン換気部（２６０）は室内空気を外部で排気させて外部の空気を内部で流入させる換気ファン（２６１）と、前記換気ファンを制御する換気ファン制御部（２６２）を具備する。
【００８５】
前記換気ファン制御部（２６２）はセンサー（未図示）を通じてリアルタイムで室内空気清浄可否を把握して前記換気ファン（２６１）の駆動タイミングを制御して、香気または／及び陰イオンを発生させて出入り玄関の室内空気を清浄にさせるのに、前記デジタルドア（２００）の制御部にその機能が統合されて一体に具現することができる。
【００８６】
図１８ないし図２０は本発明によるデジタルドア（２００）の除煙及び火事感知部と、  吸着ドアクローズ部の外部構成を現わしたものである。
【００８７】
図１８は右側型開放及び自動閉鎖形態で、図１９は左側型開放及び自動閉鎖形態であり、図２０は前記吸着ドアクローズ部を詳しく現わした図面だ。
【００８８】
図１８及び図１９に図示したように、前記デジタルドア（２００）の下部には除煙及び熱感知センサー（２７１）（２７３）が具備されて火事及び煙気発生を感知する。
【００８９】
また、前記デジタルドア（２００）が時計方向（左側型開放）または反時計方向（右側型開放）で９０度半円を描く位置に吸着ドアクローズ部（２７２）（２７４）が具備される。
この時、前記ドアの除煙及び熱感知センサー（２７１）（２７３）は電磁石の形態でネオデ−ニュム（Ｎｄ）磁石である吸着ドアクローズ部（２７２）（２７４）と電磁気的結合をする。
すなわち、普段は前記ドアの除煙及び熱感知センサー（２７１）（２７３）が引力によって前記ドアクローズ部（２７２）（２７４）に吸着されて前記ドアクローズ部（２７２）（２７４）が形成された位置に固定できる。
火事発生の時には前記除煙及び熱感誌電磁石に電源を供給して相互間に斥力によって吸着された前記ドアクローズ部（２７２）（２７４）を離脱してドアが自動で閉まるようになる。
これを通じて開放の時には所定位置にドアを固定させて歩行者に通行の便宜をはかって火事発生の時には自動でドアが閉まるようにして煙気及び火事が外部に拡散することを防止することができる。
【００９０】
また、前記吸着ドアクローズ部（２７２）（２７４）の設置される所は時計方向（左側型開放）、または反時計方向（右側型開放）で６０度、９０度、１２０度の半円を描く位置に設置されることができて、ドアの開放位置を適正な角度に合わせて底に固定することができるので使用者の便宜を図ることができる。
【００９１】
図２０に図示されたところのように、前記吸着ドアクローズ部（２７２、２７４）は、前記ドアの下部に形成された除煙及び熱感知電磁石（未図示）と電磁気的で結合するネオデ−ニュム磁石部（２７５）と、前記磁石部（２７５）を支持して所定角度で底に固定させるホルダー（２７６）を具備する。
【００９２】
また、前記ネオデ−ニュム磁石部（２７５）はドアとの結合の時に衝撃を緩和するためにクッションを持つ前面のゴムバッキング（２７５ａ）と、前記除煙及び熱感知電磁石との電磁気的結合をするネオデ−ニュム磁石（２７５ｂ）と、前記ネオデ−ニュム磁石（２７５ｂ）を支持してドアとの衝突の時に衝撃を緩和するスプリング（２７５ｃ）を具備する。
【００９３】
また、前記ネオデ−ニュム磁石部（２７５）を支持するホルダー（２７６）に形成された固定穴に固定ピース（piece）（２７７）を結合して所定角度で底に固定する。
【００９４】
図２１ないし図２３は本発明による多機能デジタルドア（２００）の外部構成を現わしたもので、それぞれ正面図、背面図、分解図を示す。
図２１ないし図２３に図示したように、本発明による多機能デジタルドア（２００）は、ドア本体（２９０）と、前記ドア本体（２９０）の一側面（内側または外部側）に結合されて前記ドア本体を保護するケーシングフレーム（casing frame）（２８０）を具備する。  すなわち、一般的にドアで損傷がたくさん行く部分（前記ドアを開閉する取っ手（２４０）、またはマイク、スピーカー、スマートカード受信アンテナなどが設置される入力部（２２０））に前記ケーシングフレーム（２８０）が設置されてドア本体（２９０）の毀損を防止することができる。
【００９５】
ここで、前記入力部（２２０）は番号入力のためのキーパッド、カメラ、呼び鈴、マイク、ＲＦカードリーダー機、指紋認識機などを適用することができる。
【００９６】
上記した以外にも、図２１ないし図２３に図示されたところのように、ドア本体（２９０）の一側面に、ドア本体の側面の上部に陰イオン換気機（２６０）及び火事発生など非常時にドア方向を案内する非常口の自動誘導燈（２８１）が設置されている。
その下部には除煙及び火事感知器（２７１）が設置されることができる。
【００９７】
また、前記ドア本体（２９０）の一側面に多段階／多重の閉ざすことをための複数個の閉ざし部で構成されるデジタル多重ロック部（２３０）と、前記入力部（２２０）、陰イオン換気機（２６０）、誘導燈（２８１）、除煙及び火事感知器（２７１）と電気的に繋がれてこれらの動作を制御する制御部（２２８）が設置される。
前記制御部（２２８）は中央制御装置、メモリーなどで構成されたＰＣＢ基板と、前記ＰＣＢ基板に電源を供給する電源装置で構成されることができる。
【００９８】
このように、前記ドアの多機能を具現するすべての構成部を前記ドア本体（２９０）の一側面に形成して、前記構成部が形成されたドア本体（２９０）の一側面にケーシングフレーム（２８０）を設置する。
この時、前記ケーシングフレーム（２８０）が前記ドア本体の各構成部をカバーして保護することで、ドアの各構成部が外部からの衝撃による毀損、侵入者による破壊などを防止することができる。
【００９９】
また、前記ケーシングフレーム（２８０）を通じて本発明によるデジタルドアの多機能を具現するドアのすべての部品をモジュール化することができる。
すなわち、前記ドア本体（２９０）の一側面に前記ドアの多機能を具現する各部品を設置してこれをカバーするケーシングフレームを結合するとか、ドア本体と前記ドア本体の一側面に結合されるケーシングフレームを形成して前記ケーシングフレーム自体に前記ドアの多機能を具現する各部品を設置することができる。
【０１００】
このように、ケーシングフレームをドア本体を保護するカバーとして形成するとか、ケーシングフレームを独立されたドアの構成部分で形成して前記ケーシングフレーム部分にドアの各構成部分を形成して前記ケーシングフレームをドアに結合する形態で構成することができる。
このようなこのケーシングフレームのモジュール化の作業を通じて、ドア本体（２９０）とケーシングフレーム（２８０）の分離製作によるドアの大量生産など機能性、生産性を進めることができる。
【０１０１】
また、充電池の交換及びすべての部品の点検を前記ケーシングフレームで簡単に行うことができる。
【０１０２】
また、前記ケーシングフレーム（２８０）を通じて前記ドアで損傷がたくさん行く部分をおおってくれることができて、デザイン的に審美感を活かすことができる。
【０１０３】
また、前記ケーシングフレーム（２８０）の材質はアルミニウム、鉄板（スチール）、ステンレス、木材中のどれ一つが使われることができる。前記材質は圧出、切断、絶穀、プレス加工の形態に組み立てされることができる。
【０１０４】
本発明はデジタルドアが遠隔地に位置したサーバー及び端末と通信を遂行することができるようにしてドアの保安性を強化させることができるし生活の中でのユビクォトス（Ubiquitous）環境に近接することができる。
【図面の簡単な説明】
【０１０５】
【図１】本発明の望ましい実施例による保安システムの構成を図示した図面。
【図２】本発明の望ましい実施例による保安システムの構成を図示した図面。
【図３】本発明の望ましい実施例によるデジタルドアの構成を図示した図面。
【図４】本発明の望ましい実施例によるデジタルドアでデジタル多重ロック部を利用した多段階保安装置を説明した図面。
【図５】本発明の望ましい第１実施例による多段階の開き動作を説明した図面。
【図６】本発明の望ましい第２実施例による多段階の開き動作を説明した図面。
【図７】本発明によるデジタルドアの外部構成を現わした図面として、正面図を現わした詳細図。
【図８】本発明によるデジタルドアの外部構成を現わした図面として、  背面図を現わした詳細図。
【図９】本発明によるデジタルドアの外部構成を現わした図面として、  取っ手部分を現わした詳細図。
【図１０】本発明によるデジタルドアの多重ロック部の構成を現わした図面。
【図１１】本発明によるデジタルドアの多重ロック部の構成を現わした図面。
【図１２】本発明によるデジタルドアの多重ロック部の開閉装置の構成を現わした図面。
【図１３】本発明によるデジタルドアの多重ロック部の開閉装置の構成を現わした図面。
【図１４】本発明によるデジタルドアの多重ロック部の開閉装置の構成を現わした図面。
【図１５】本発明によるデジタルドアの多重ロック部の開閉装置の構成を現わした図面。
【図１６】本発明によるデジタルドアに陰イオン換気部を形成した例を現わした正面図。
【図１７】本発明によるデジタルドアに陰イオン換気部を形成した例を現わした背面図。
【図１８】本発明によるデジタルドアの除煙及び火事感知部と、吸着ドアクローズ部の外部構成を現わした図面。
【図１９】本発明によるデジタルドアの除煙及び火事感知部と、吸着ドアクローズ部の外部構成を現わした図面。
【図２０】本発明によるデジタルドアの除煙及び火事感知部と、吸着ドアクローズ部の外部構成を現わした図面。
【図２１】本発明によるデジタルドアの外部構成を現わした正面図。
【図２２】本発明によるデジタルドアの外部構成を現わした背面図。
【図２３】本発明によるデジタルドアの外部構成を現わした分解図。
【符号の説明】
【０１０６】
１００、２００      デジタルドア
３００              ホーム端末装置
３３０              通信局
３５０              ホームネットワーキング装置
３７０              ネットワーク
４００              サーバー装置
【図１】
2009535544.tif 000003
【図２】
2009535544.tif 000004
【図３】
2009535544.tif 000005
【図４】
2009535544.tif 000006
【図５】
2009535544.tif 000007
【図６】
2009535544.tif 000008
【図７】
2009535544.tif 000009
【図８】
2009535544.tif 000010
【図９】
2009535544.tif 000011
【図１０】
2009535544.tif 000012
【図１１】
2009535544.tif 000013
【図１２】
2009535544.tif 000014
【図１３】
2009535544.tif 000015
【図１４】
2009535544.tif 000016
【図１５】
2009535544.tif 000017
【図１６】
2009535544.tif 000018
【図１７】
2009535544.tif 000019
【図１８】
2009535544.tif 000020
【図１９】
2009535544.tif 000021
【図２０】
2009535544.tif 000022
【図２１】
2009535544.tif 000023
【図２２】
2009535544.tif 000024
【図２３】
2009535544.tif 000025
【国際調査報告】
2009535544.tif 000026
2009535544.tif 000027